【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
撮像センサを有する撮像装置より得られたＲＡＷ画像データを現像、編集する画像処理装置であって、
ＲＡＷ画像データを入力する入力手段と、
画像処理パラメータを設定するパラメータ設定手段と、
画像を再生出力するための出力領域のサイズを設定する領域サイズ設定手段と、
前記出力領域に出力する画像の倍率を設定する倍率設定手段と、
前記領域サイズ設定手段で設定された出力領域のサイズと前記倍率設定手段で設定された倍率の少なくとも一方に基づき、前記ＲＡＷ画像データ中の画像処理すべき領域の範囲と画素数の少なくとも一方を決定する領域決定手段と、
前記領域決定手段で決定された領域のＲＡＷ画像データに対して前記パラメータ設定手段で設定されたパラメータに基づき画像処理する画像処理手段と、
該画像処理手段で得られた画像データを前記出力領域に出力する出力手段と
を備えることを特徴とする画像処理装置。
【請求項２】
更に、前記パラメータ設定手段によりパラメータの設定がされた場合、前記領域サイズ設定手段により出力領域のサイズが変更された場合、前記倍率設定手段により倍率が変更された場合の少なくともいずれかの場合に前記画像処理手段を実行させる制御手段を更に備えることを特徴とする請求項１に記載の画像処理装置。 
【請求項３】
更に、前記出力領域内にＲＡＷ画像データで示される画像の一部分が表示されている場合、前記出力領域内で画像をスクロールするスクロール手段と、
該スクロール手段で表示位置を変更された場合に前記画像処理手段を実行させる制御手段を備えることを特徴とする請求項１または２に記載の画像処理装置。
【請求項４】
前記パラメータ設定手段で設定可能なパラメータはシャープネス処理のパラメータを含み、
前記画像処理手段は、前記倍率設定手段で設定された倍率が等倍未満の場合のシャープネス処理は、前記倍率設定手段で設定された倍率が等倍以上のシャープネス処理よりも簡易な処理を行うあるいはシャープネス処理を行わないことを特徴とする請求項１乃至３のいずれか1項に記載の画像処理装置。
【請求項５】
前記領域決定手段は、前記倍率設定手段によって設定された倍率が等倍以上であった場合は、前記画像処理すべき領域の画素数は前記ＲＡＷ画像データのうちの該領域内に記録されている画素数と決定することを特徴とする請求項１乃至４のいずれか１項に記載の画像処理装置。
【請求項６】
更に、前記ＲＡＷ画像データが可逆圧縮されているか否かを判定する判定手段と、
該判定手段で可逆符号化されていると判定した場合に、復号する復号手段とを備えることを特徴とする請求項１乃至５のいずれか１項に記載の画像処理装置。
【請求項７】
前記ＲＡＷ画像データには、前記撮像手段で撮像した際の撮像条件情報を含み、
前記画像処理手段は、前記撮像条件情報と前記パラメータ設定手段で設定されたパラメータに従って現像処理を行なうことを特徴とする請求項１乃至６のいずれか１項に記載の画像処理装置。
【請求項８】
更に、前記ＲＡＷ画像データを所定の間引き率で間引きして低画素数の画像データを生成する生成手段と、
生成された低画素数の画像データを記憶保持する記憶保持手段と、
該記憶保持手段に記憶された低画素数の画像データに基づき、前記パラメータ設定手段で設定されたパラメータに基づいて予備的な画像処理する予備画像処理手段と、
前記領域決定手段によって決定された前記画像処理すべき領域について前記画像処理手段による画像処理が完了するまでの間、前記予備画像処理手段で生成された画像を前記出力領域に出力する予備出力手段と
を備えることを特徴とする請求項１乃至７のいずれか１項に記載の画像処理装置。
【請求項９】
更に、領域サイズ設定手段により出力領域のサイズが変更された場合、倍率設定手段により倍率が変更された場合、或いは、前記出力領域内で画像がスクロールされた場合、前記予備画像処理手段及び予備出力手段を実行して得られた予備画像データを、前記画像処理すべき領域について前記画像処理手段による画像処理が完了するまでの間、前記出力領域に表示させる制御手段を備えることを特徴とする請求項８に記載の画像処理装置。
【請求項１０】
前記画像処理パラメータには、シャープネス処理、スムージング処理、ノイズ除去処理に関するパラメータの少なくともいずれかが含まれ、
前記予備画像処理手段では、前記画像処理パラメータに含まれるパラメータのうち、前記シャープネス処理、前記スムージング処理、前記ノイズ除去処理に関するパラメータの少なくともいずれかを除く他のパラメータに従って画像処理することを特徴とする請求項８に記載の画像処理装置。
【請求項１１】
更に、前記ＲＡＷ画像データを所定の間引き率で間引きして低画素数の画像データを生成する生成手段と、
生成された低画素数の画像データを一時的に記憶保持する記憶保持手段と、
該記憶保持手段に記憶された低画素数の画像データに基づき、前記パラメータ設定手段で設定されたパラメータに基づいて予備的な画像処理する予備画像処理手段と、
前記パラメータ設定手段で設定されたパラメータが、所定の種類の画像処理用のパラメータであるか否かを判定する判定手段と、
該判定手段の判定結果に基づいて、前記出力領域に出力する画像データを生成する手段として、前記画像処理手段、或いは、前記予備画像処理手段のいずれか一方を選択する選択手段と
を備えることを特徴とする請求項１乃至７のいずれか１項に記載の画像処理装置。
【請求項１２】
前記判定手段が前記パラメータ設定手段で設定されたパラメータが、色、明度に関するパラメータであると判定した場合、前記選択手段は、前記予備画像処理手段を選択することを特徴とする請求項１１に記載の画像処理装置。
【請求項１３】
撮像センサを有する撮像装置より得られたＲＡＷ画像データを現像、編集する画像処理装置の制御方法であって、
ＲＡＷ画像データを入力する入力工程と、
画像処理パラメータを設定するパラメータ設定工程と、
画像を再生出力するための出力領域のサイズを設定する領域サイズ設定工程と、
前記出力領域に出力する画像の倍率を設定する倍率設定工程と、
前記領域サイズ設定工程で設定された出力領域のサイズと前記倍率設定工程で設定された倍率の少なくとも一方に基づき、前記ＲＡＷ画像データ中の画像処理すべき領域の範囲と画素数の少なくとも一方を決定する領域決定工程と、
前記領域決定工程で決定された領域のＲＡＷ画像データに対して前記パラメータ設定手段で設定されたパラメータに基づき画像処理する画像処理工程と、
該画像処理工程で得られた画像データを前記出力領域に出力する出力工程と
を備えることを特徴とする画像処理装置の制御方法。
【請求項１４】
コンピュータが読込み実行することで、前記コンピュータを、撮像センサを有する撮像装置より得られたＲＡＷ画像データを現像、編集する画像処理装置として機能させるコンピュータプログラムであって、
ＲＡＷ画像データを入力する入力手段と、
画像処理パラメータを設定するパラメータ設定手段と、
画像を再生出力するための出力領域のサイズを設定する領域サイズ設定手段と、
前記出力領域に出力する画像の倍率を設定する倍率設定手段と、
前記領域サイズ設定手段で設定された出力領域のサイズと前記倍率設定手段で設定された倍率の少なくとも一方に基づき、前記ＲＡＷ画像データ中の画像処理すべき領域の範囲と画素数の少なくとも一方を決定する領域決定手段と、
前記領域決定手段で決定された領域のＲＡＷ画像データに対して前記パラメータ設定手段で設定されたパラメータに基づき画像処理する画像処理手段と、
該画像処理手段で得られた画像データを前記出力領域に出力する出力手段
として機能させることを特徴とするコンピュータプログラム。
【請求項１５】
コンピュータが読込み実行することで、前記コンピュータを、撮像センサを有する撮像装置より得られたＲＡＷ画像データを現像、編集する画像処理装置として機能させるコンピュータプログラムを格納したコンピュータ可読記憶媒体であって、
ＲＡＷ画像データを入力する入力手段と、
画像処理パラメータを設定するパラメータ設定手段と、
画像を再生出力するための出力領域のサイズを設定する領域サイズ設定手段と、
前記出力領域に出力する画像の倍率を設定する倍率設定手段と、
前記領域サイズ設定手段で設定された出力領域のサイズと前記倍率設定手段で設定された倍率の少なくとも一方に基づき、前記ＲＡＷ画像データ中の画像処理すべき領域の範囲と画素数の少なくとも一方を決定する領域決定手段と、
前記領域決定手段で決定された領域のＲＡＷ画像データに対して前記パラメータ設定手段で設定されたパラメータに基づき画像処理する画像処理手段と、
該画像処理手段で得られた画像データを前記出力領域に出力する出力手段
として機能させるコンピュータプログラムを格納したことを特徴とするコンピュータ可読記憶媒体。
【手続補正２】
【補正対象書類名】明細書
【補正対象項目名】発明の名称
【補正方法】変更
【補正の内容】
【発明の名称】画像処理装置及びその制御方法、並びに、コンピュータプログラム及びコンピュータ可読記憶媒体
【手続補正３】
【補正対象書類名】明細書
【補正対象項目名】００１８
【補正方法】変更
【補正の内容】
【００１８】
この課題を解決するため、例えば本発明の画像処理装置は以下の構成を備える。すなわち、
撮像センサを有する撮像装置より得られたＲＡＷ画像データを現像、編集する画像処理装置であって、
ＲＡＷ画像データを入力する入力手段と、
画像処理パラメータを設定するパラメータ設定手段と、
画像を再生出力するための出力領域のサイズを設定する領域サイズ設定手段と、
前記出力領域に出力する画像の倍率を設定する倍率設定手段と、
前記領域サイズ設定手段で設定された出力領域のサイズと前記倍率設定手段で設定された倍率の少なくとも一方に基づき、前記ＲＡＷ画像データ中の画像処理すべき領域の範囲と画素数の少なくとも一方を決定する領域決定手段と、
前記領域決定手段で決定された領域のＲＡＷ画像データに対して前記パラメータ設定手段で設定されたパラメータに基づき画像処理する画像処理手段と、
該画像処理手段で得られた画像データを前記出力領域に出力する出力手段とを備える。
【手続補正４】
【補正対象書類名】明細書
【補正対象項目名】００２９
【補正方法】変更
【補正の内容】
【００２９】
なお、記録媒体１１１には圧縮されたファイル、非圧縮ファイルが存在し得るが、ＣＣＤ１０３から出力された信号をＡ／Ｄ変換し、ホワイトバランス処理以降の色に関する画像処理を施していない段階の画像（各コンポーネントが１２ビット）にまで戻すことができる画像データファイルをＲＡＷ画像データと呼ぶ。
【手続補正５】
【補正対象書類名】明細書
【補正対象項目名】０１２２
【補正方法】変更
【補正の内容】
【０１２２】
図１０は、上記図９の処理を行った画像に対して、使用者が画質調整を再度行った場合に実行する処理を示すフローチャートである。